(57)【要約】【課題】ＩＦフィルタの帯域幅を制御し、より効率的に希望波を受信することができるＦＭチューナを提供することを目的とする。【解決手段】ＩＦフィルタ１を通過したＦＭ信号はＩＦリミッタアンプ２でノイズを除去され、ＦＭ検波器３でＦＭ検波信号が出力される。ＦＭ検波信号は隣接妨害検出器４に入力し隣接妨害波のノイズのレベルを検出する。ＩＦリミッタアンプ２の出力は電界検出器６でＦＭ信号のレベルを検出し、このＦＭ信号のレベルは弱電界検出器７に入力されてＦＭ信号が弱電界か否かの判別を行っている。隣接妨害検出器４と弱電界検出器７の出力結果がコントローラ５に入力されて、このコントローラ５でＩＦフィルタ１の制御信号を生成する。【選択図】  図１
2004312077.tif 000002
【特許請求の範囲】
【請求項１】
ＦＭ信号が入力される、帯域幅を可変可能な中間処理フィルタと、
この中間処理フィルタからのＦＭ信号の振幅を増幅し、前記ＦＭ信号を矩形波とする中間周波数リミッタアンプと、
この中間周波数リミッタアンプからのＦＭ信号をＦＭ検波するＦＭ検波器と、
このＦＭ検波器から出力されたＦＭ検波出力より、前記ＦＭ検波出力の帯域における隣接妨害波のノイズのレベルと所定のレベルとのレベル差を生成する隣接妨害検出器と、
前記中間周波数フィルタの出力端と前記ＦＭ検波器の入力端との間から供給されるＦＭ信号のレベルを検出する電界検出器と、
この電界検出器で検出されたＦＭ信号の電界検出量と所定のレベルとのレベル差を生成する弱電界検出器と、
前記隣接妨害検出器で生成されたレベル差及び前記弱電界検出器で生成されたレベル差が供給されるコントローラとを備え、
前記コントローラは、前記隣接妨害検出器で生成されたレベル差及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナ。
【請求項２】
ＦＭ信号が入力される、帯域幅を可変可能な中間周波数フィルタと、
この中間周波数フィルタからのＦＭ信号の振幅を増幅し、前記ＦＭ信号を矩形波とする中間周波数リミッタアンプと、
この中間周波数リミッタアンプからのＦＭ信号をＦＭ検波するＦＭ検波器と、
前記中間周波数フィルタの出力端と前記ＦＭ検波器の入力端との間から供給されるＦＭ信号のレベルを検出する電界検出器と、
この電界検出器で検出されたＦＭ信号の電界検出量と所定のレベルとのレベル差を生成する弱電界検出器と、
前記電界検出器からの中間周波数帯域での隣接妨害波の搬送レベルと所定のレベルとのレベル差を生成する隣接妨害検出器と、
前記隣接妨害検出器で生成されたレベル差及び前記弱電界検出器で生成されたレベル差が供給されるコントローラとを備え、
前記コントローラは、前記隣接妨害検出器で生成されたレベル差及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナ。
【請求項３】
ＦＭ信号が入力される、帯域幅を可変可能な中間周波数フィルタと、
この中間周波数フィルタからのＦＭ信号の振幅を増幅し、前記ＦＭ信号を矩形波とする中間周波数リミッタアンプと、
この中間周波数リミッタアンプからのＦＭ信号をＦＭ検波するＦＭ検波器と、
このＦＭ検波器から出力されたＦＭ検波出力より、前記ＦＭ検波出力の帯域における隣接妨害波のノイズのレベルとのレベル差を生成する隣接妨害検出器と、
前記ＦＭ検波出力から希望波の音声レベルを検出する変調度検出器と、
前記中間周波数フィルタの出力端と前記ＦＭ検波器の入力端との間から供給されるＦＭ信号のレベルを検出する電界検出器と、
この電界検出器で検出されたＦＭ信号の電界検出量と所定のレベルとのレベル差を生成する弱電界検出器と、
前記隣接妨害検出器で生成されたレベル差及び前記変調度検出器で生成された音声レベル及び前記弱電界検出器で生成されたレベル差が供給されるコントローラとを備え、
前記隣接妨害検出器で生成されたレベル差及び前記音声レベル及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナ。
【請求項４】
前記電界検出器で検出されたＦＭ信号のレベルによって、前記ＦＭ検波出力をミューティングするミュート回路を備え、
前記ミュート回路の出力信号は前記隣接妨害検出器に入力され、前記ミュート回路を介したＦＭ検波出力の帯域における隣接妨害波のノイズのレベルと所定のレベルとの差分によって前記中間周波数フィルタの帯域幅を制御することを特徴とする請求項１乃至請求項３のいずれか１項に記載のＦＭチューナ。
【請求項５】
前記中間周波数フィルタの帯域幅を制御する制御信号は、前記隣接妨害検出器が生成するレベル差が大きいときは前記中間周波数フィルタの帯域幅を広くし、前記レベル差が小さいときは前記中間周波数フィルタの帯域幅を狭くし、かつ、前記弱電界検出器で前記ＦＭ信号が弱電界時と検出されたときは前記中間周波数フィルタの帯域幅を広くすることを特徴とする請求項１乃至請求項４のいずれか１項に記載のＦＭチューナ。
【請求項６】
前記中間周波数フィルタの帯域幅を制御する制御信号は、前記変調度検出器で前記ＦＭ信号の音声レベルが大きいときは前記中間周波数フィルタの帯域幅を広くすることを特徴とする請求項５に記載のＦＭチューナ。
【発明の詳細な説明】
【０００１】
【発明の属する技術分野】
本発明は、ＦＭ（Ｆｒｅｑｕｅｎｃｙ  Ｍｏｄｕｌａｔｉｏｎ）チューナに関し、特にカーオーディオ等の移動体受信に使用されるＦＭチューナに関する。
【０００２】
【従来の技術】
ＦＭチューナの構成を図７に示す。以下、図面に従って説明する。
【０００３】
ＩＦ（Ｉｎｔｅｒｍｅｄｉａｔｅ  Ｆｒｅｑｕｅｎｃｙ）フィルタ１０１は、中間周波数（例えば、４５０ｋＨｚ）を中心として、−３デシベル帯域幅を約３０ｋＨｚ〜約２００ｋＨｚまで可変できるものである。
【０００４】
ここで帯域幅の可変とは、２つ以上の固定した帯域幅を予め設定しておいて設定した帯域幅に切り替えるものと、帯域幅は予め固定せずにフレキシブルに帯域幅を変えることができるものの双方の意味を有している。
【０００５】
ＩＦフィルタ１０１を通過したＦＭ信号は、ＩＦリミッタアンプ１０２に供給される。ＩＦフィルタ１０１を通過したＦＭ信号は、ＩＦリミッタアンプ１０２に供給される。ＩＦリミッタアンプ１０２は、ＦＭ信号の振幅を増幅して矩形波とし、ＦＭ信号にのったノイズを除去している。
【０００６】
ＦＭ検波器１０３は、ＩＦリミッタアンプ１０２からのＦＭ信号を検波し、ＦＭ検波出力（音声信号）として出力する。
【０００７】
ＦＭ検波出力は、隣接妨害検出器１０４に供給される。隣接妨害検出器１０４は、ＦＭ検波出力の帯域における隣接妨害波のノイズ（高域に位置する）のレベルと所定のレベルとの差を生成する。
【０００８】
このレベル差の信号をコントローラ１０５に供給する。コントローラ１０５は、隣接妨害検出器１０４からのレベル差が大きいとＩＦフィルタ１０１の帯域幅を広くして希望波を広く受信することができる。逆にレベル差が小さいと希望波と隣接妨害波とが接近しているので、ＩＦフィルタ１０１の帯域幅を狭くして隣接妨害波を遮断している。
【０００９】
同様に、図８に示すように隣接妨害検出器１０４とＩＦリミッタアンプ１０２との間に電界検出器１０６を挿入しても隣接妨害波を検出できる。電界検出器１０６は、ＩＦリミッタアンプ１０２からＦＭ信号を検出する。隣接妨害検出器１０４は、電界検出器１０６からの中間周波数帯域での隣接妨害波の搬送波のレベルと所定のレベルとの差を生成する。
【００１０】
このレベル差の信号をコントローラ１０５に供給する。コントローラ１０５は、隣接妨害検出器１０４からのレベル差が大きいとＩＦフィルタ１０１の帯域幅を広くして希望波を広く受信することができる。逆にレベル差が小さいと希望波と隣接妨害波とが接近しているので、ＩＦフィルタ１０１の帯域幅を狭くして隣接妨害波を遮断している（例えば、特許文献１参照。）。
【００１１】
【特許文献１】
特許第２８２５３８９号公報
【００１２】
【発明が解決しようとする課題】
しかし、前述した従来のＦＭチューナは、ＦＭ検波出力の帯域における隣接妨害波のノイズ、中間周波数帯域での隣接妨害波の搬送レベル等を所定値に抑えるため、ＩＦフィルタ１０１の帯域幅を制御している。このため、隣接妨害波と希望波の帯域が接近していたり、希望波の変調度が大きいような場合にはＩＦフィルタ１０１の帯域幅が過度に狭くなってしまい、希望波の変調度に対する欠損が大きくなり、ＦＭ検波特性（全高調波歪等）が悪化する。
【００１３】
更に、隣接妨害検出器の出力は、ＦＭ検波出力の帯域における隣接妨害波のノイズレベル、または中間周波数帯域での隣接妨害波を検出したものであるため、リップルを生じてしまう。このため、隣接妨害時におけるＩＦフィルタ１０１の安定な帯域幅の可変は望めない。
【００１４】
そこで本発明は、希望波を受信中はＩＦフィルタの帯域幅を過度に狭くすることのないＦＭチューナを提供することを目的とする。
【００１５】
更に本発明は、隣接妨害時における中間周波数フィルタの安定な帯域の可変を可能にするＦＭチューナを提供することを目的とする。
【００１６】
【課題を解決するための手段】
上記課題を解決するために本発明の一態様によれば、ＦＭ信号が入力される、帯域幅を可変可能な中間処理フィルタと、この中間処理フィルタからのＦＭ信号の振幅を増幅し、前記ＦＭ信号を矩形波とする中間周波数リミッタアンプと、この中間周波数リミッタアンプからのＦＭ信号をＦＭ検波するＦＭ検波器と、このＦＭ検波器から出力されたＦＭ検波出力より、前記ＦＭ検波出力の帯域における隣接妨害波のノイズのレベルと所定のレベルとのレベル差を生成する隣接妨害検出器と、前記中間周波数フィルタの出力端と前記ＦＭ検波器の入力端との間から供給されるＦＭ信号のレベルを検出する電界検出器と、この電界検出器で検出されたＦＭ信号の電界検出量と所定のレベルとのレベル差を生成する弱電界検出器と、前記隣接妨害検出器で生成されたレベル差及び前記弱電界検出器で生成されたレベル差が供給されるコントローラとを備え、前記コントローラは、前記隣接妨害検出器で生成されたレベル差及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナが提供される。
【００１７】
また本発明の他の態様によれば、ＦＭ信号が入力される、帯域幅を可変可能な中間周波数フィルタと、この中間周波数フィルタからのＦＭ信号の振幅を増幅し、前記ＦＭ信号を矩形波とする中間周波数リミッタアンプと、この中間周波数リミッタアンプからのＦＭ信号をＦＭ検波するＦＭ検波器と、前記中間周波数フィルタの出力端と前記ＦＭ検波器の入力端との間から供給されるＦＭ信号のレベルを検出する電界検出器と、この電界検出器で検出されたＦＭ信号の電界検出量と所定のレベルとのレベル差を生成する弱電界検出器と、前記電界検出器からの中間周波数帯域での隣接妨害波の搬送レベルと所定のレベルとのレベル差を生成する隣接妨害検出器と、前記隣接妨害検出器で生成されたレベル差及び前記弱電界検出器で生成されたレベル差が供給されるコントローラとを備え、前記コントローラは、前記隣接妨害検出器で生成されたレベル差及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナが提供される。
【００１８】
また本発明の他の態様によれば、ＦＭ信号が入力される、帯域幅を可変可能な中間周波数フィルタと、この中間周波数フィルタからのＦＭ信号の振幅を増幅し、前記ＦＭ信号を矩形波とする中間周波数リミッタアンプと、この中間周波数リミッタアンプからのＦＭ信号をＦＭ検波するＦＭ検波器と、このＦＭ検波器から出力されたＦＭ検波出力より、前記ＦＭ検波出力の帯域における隣接妨害波のノイズのレベルとのレベル差を生成する隣接妨害検出器と、前記ＦＭ検波出力から希望波の音声レベルを検出する変調度検出器と、前記中間周波数フィルタの出力端と前記ＦＭ検波器の入力端との間から供給されるＦＭ信号のレベルを検出する電界検出器と、この電界検出器で検出されたＦＭ信号の電界検出量と所定のレベルとのレベル差を生成する弱電界検出器と、前記隣接妨害検出器で生成されたレベル差及び前記変調度検出器で生成された音声レベル及び前記弱電界検出器で生成されたレベル差が供給されるコントローラとを備え、前記隣接妨害検出器で生成されたレベル差及び前記音声レベル及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナが提供される。
【００１９】
【発明の実施の形態】
本発明の実施形態について図を参照しながら説明する。
【００２０】
［第１の実施形態］図１は本発明の第１の実施形態に係るＦＭチューナの構成図である。
【００２１】
ＩＦフィルタ１は、中間周波数（例えば、４５０ｋＨｚ）を中心にして設定された帯域幅のＦＭ信号を通過させる。帯域幅は、−３デシベル帯域幅を約３０ｋＨｚ〜約２００ｋＨｚまで可変することができる。
【００２２】
ここで帯域幅の可変とは、２つ以上の固定した帯域幅を予め設定しておいて設定した帯域幅に切り替えるものと、帯域幅は予め固定せずにフレキシブルに帯域幅を変えることができるものの双方の意味を有している。
【００２３】
ＩＦフィルタ１を通過したＦＭ信号は、ＩＦリミッタアンプ２に供給される。ＩＦリミッタアンプ２は、ＦＭ信号の振幅を増幅して矩形波とし、ＦＭ信号にのったノイズを除去している。
【００２４】
ＩＦリミッタアンプ２で増幅され矩形波のＦＭ信号は、ＦＭ検波器３に入力される。ＦＭ検波器３は、ＩＦリミッタアンプ２で形成された矩形波を検知してＦＭ検波出力（音声信号）を出力する。
【００２５】
ＦＭ検波出力は、隣接妨害検出器４に入力される。隣接妨害検出器４は、ＦＭ信号の希望波に隣接する妨害波を検出している。
【００２６】
隣接妨害検出器４は例えば図２のように構成されている。ＦＭ検波器３からのＦＭ検波出力を第１のバンドパスフィルタ４１と第２のバンドパスフィルタ４２に入力する。第１のバンドパスフィルタ４１は高域側の隣接妨害波の中心周波数ｆ０を持つフィルタである。また、第２のバンドパスフィルタ４２は低域側の隣接妨害波の中心周波数ｆ０を持つフィルタである。
【００２７】
第１及び第２のバンドパスフィルタ４１，４２を通過した信号を合成回路４３に入力し、これらの信号を合成する。合成回路４３では、例えば加算又はＯＲ演算される。検出回路４４は、合成回路４３からの出力レベルと所定のレベルとの差を生成する。このレベル差をコントローラ５に供給する。
【００２８】
検出した妨害波の情報をコントローラ５に入力する。このコントローラ５は、ＦＭチューナが希望波以外の、特に隣接する妨害波を排除するようにＩＦフィルタ１を制御する回路である。
【００２９】
また、ＩＦリミッタアンプ２は電界検出器６にも接続されている。ＩＦリミッタアンプ２は、数段のバッファ回路が直列に繋げた回路から構成されている。電界検出器６は、ＩＦリミッタアンプ２の複数のバッファ回路の出力をそれぞれ入力信号としており、ＦＭ信号の信号強度を検出している。
【００３０】
電界検出器６の出力信号は、弱電界検出器７に入力される。弱電界検出器７は、ＦＭ信号の信号強度を監視して、所定の電界以下（弱電界）を検出する検出器である。弱電界検出器７の出力信号もコントローラ５に入力する。
【００３１】
コントローラ５では、隣接妨害検出器４から入力されたレベル差が大きい場合、すなわち希望波と隣接妨害波が接近していない場合は、ＩＦフィルタ１の帯域幅を広くするように制御する。他方、隣接妨害検出器４から入力されたレベル差が小さい場合、すなわち希望波と隣接妨害波が接近している場合は、ＩＦフィルタ１の帯域幅を狭くするように制御する。
【００３２】
また、コントローラ５は、弱電界検出器７から入力されたＦＭ信号の信号強度が小さい場合、すなわち希望波が弱電界の場合は、ＩＦフィルタ１の帯域幅を広くするように制御する。
【００３３】
通常、弱電界の場合はＦＭ検波出力又は電界検出出力のノイズによるＩＦフィルタ１の帯域制御誤動作を防ぐため、予め隣接妨害検出器４の検出感度の設定を低くしなくてはいけない。そのため隣接妨害検出器４が本来の隣接妨害波を検出することができず、例え隣接妨害波が希望波と比較的離れていてもＩＦフィルタ１の帯域幅を広くすることができない。本来帯域幅を広げられるＩＦフィルタ１も帯域幅が狭くなってしまう。
【００３４】
しかし、弱電界検出器７によって弱電界時にはＩＦフィルタ１の帯域幅を広くすることによって、隣接妨害検出器４の検出感度を向上させて隣接妨害波を有効に検出してＩＦフィルタ１を調整することができる。
【００３５】
また、本実施形態の隣接妨害検出器４は図３に示すように電界検出器６とコントローラ５間に挿入しても隣接妨害波を検出でき、本発明の効果を得ることができる。
【００３６】
［第２の実施形態］次に本発明の第２の実施形態に係るＦＭチューナの構成図を図４に示す。
【００３７】
ＩＦフィルタ１、ＩＦリミッタアンプ２、ＦＭ検波器３、隣接妨害検出器４、コントローラ５、電界検出器６及び弱電界検出器７は、第１の実施形態において説明した図１のＦＭチューナの構成と同様であるので、説明を省略する。
【００３８】
図４に示すＦＭチューナは、図１に示すＦＭチューナのＦＭ検波器３とコントローラ５間に変調度検出器８を挿入した構成である。
【００３９】
変調度検出器８は、ＦＭ検波器３のＦＭ検波出力から希望波の音声レベルを検出する。希望波の変調度（希望波の中心周波数ｆ０からの周波数変調）が大きいほど、大きな音声レベルの信号となる。この音声レベルをコントローラ５に供給する。ここで、変調度検出器８から出力された音声レベルは、検波出力の帯域における隣接妨害波のノイズ、中間周波数帯域の搬送レベル等は基本的に含まれていない。
【００４０】
コントローラ５には、隣接妨害検出器４、弱電界検出器７及び変調度検出器８で検出された信号が入力されている。
【００４１】
隣接妨害検出器４から入力されたレベル差が大きいほどＩＦフィルタ１の帯域幅を広くするように制御し、レベル差が小さいほどＩＦフィルタ１の帯域幅を狭くするように制御する。
【００４２】
また、弱電界検出器７から入力されたＦＭ信号の信号強度が小さい場合はＩＦフィルタ１の帯域幅を広くするように制御する。
【００４３】
更に、変調度検出器８から入力された希望波の変調度が大きい場合、すなわち大きな音声レベルの場合は、ＩＦフィルタ１の帯域幅を大きくするように制御する。希望波の変調度に対する欠損を極力抑え、ＦＭ検波特性（全高調波歪等）を高めることができる。
【００４４】
このように、受信したＦＭ信号を各々の検出器で得た情報からコントローラ５を制御して、最適なＩＦフィルタ１の帯域幅を決定することができる。
【００４５】
なお、第１の実施形態と同様に隣接妨害検出器４は電界検出器６とコントローラ５間に挿入してもよい。
【００４６】
［第３の実施形態］次に本発明の第３の実施形態に係るＦＭチューナの構成図を図５に示す。
【００４７】
ＩＦフィルタ１、ＩＦリミッタアンプ２、ＦＭ検波器３、隣接妨害検出器４、コントローラ５、電界検出器６及び弱電界検出器７は、第１の実施形態において説明した図１のＦＭチューナの構成と同様であるので、説明を省略する。
【００４８】
図５に示すＦＭチューナは、ＦＭ検波器３と隣接妨害検出器間４にミュート回路９を挿入した構成である。このミュート回路９は、電界検出器６の出力によって制御されている。電界検出器６で弱電界と判断された場合、ＦＭ検波出力はミュート回路９によってＦＭ検波出力をミューティングする。
【００４９】
弱電界時におけるＦＭ検波出力のノイズ増大による聴感品位の低下を緩和するようにミュート回路９によってＦＭ検波出力は制御され、同時にＦＭ検波出力のノイズ増大による隣接妨害検出器４の誤動作を各電界強度でも避けることができる。したがって、弱電界時でも予め隣接妨害検出器４の検出感度の設定を低くする必要がなく、隣接妨害検出器４の検出感度を向上させて隣接妨害波を有効に検出してＩＦフィルタ１を調整することができる。
【００５０】
コントローラ５には、隣接妨害検出器４及び弱電界検出器７で検出された信号が入力されている。
【００５１】
隣接妨害検出器４から入力されたレベル差が大きいほどＩＦフィルタ１の帯域幅を大きくするように制御し、レベル差が小さいほどＩＦフィルタ１の帯域幅を狭くするように制御する。
【００５２】
また、弱電界検出器７から入力されたＦＭ信号の信号強度が小さい場合はＩＦフィルタ１の帯域幅を広くするように制御する。
【００５３】
このように、受信したＦＭ信号を各々の検出器で得た情報からコントローラ５を制御して、最適なＩＦフィルタ１の帯域幅を決定することができる。
【００５４】
なお、第１の実施形態と同様に隣接妨害検出器４は電界検出器６とコントローラ５間に挿入してもよい。
【００５５】
［第４の実施形態］次に本発明の第４の実施形態に係るＦＭチューナの構成図を図６に示す。
【００５６】
ＩＦフィルタ１、ＩＦリミッタアンプ２、ＦＭ検波器３、隣接妨害検出器４、コントローラ５、電界検出器６、弱電界検出器７及びミュート回路９は、第３の実施形態において説明した図５のＦＭチューナの構成と同様であるので、説明を省略する。
【００５７】
図６に示すＦＭチューナは、図５に示すＦＭチューナのＦＭ検波器３とコントローラ５間に変調度検出器８を挿入した構成である。変調度検出器８は、前記第２の実施形態で説明した変調度検出器８と同様なので説明を省略する。
【００５８】
コントローラ５には、隣接妨害検出器４、弱電界検出器７及び変調度検出器８で検出された信号が入力されている。
【００５９】
隣接妨害検出器４から入力されたレベル差が大きいほどＩＦフィルタ１の帯域幅を広くするように制御し、レベル差が小さいほどＩＦフィルタ１の帯域幅を狭くするように制御する。
【００６０】
また、弱電界検出器７から入力されたＦＭ信号の信号強度が小さい場合はＩＦフィルタ１の帯域幅を広くするように制御する。
【００６１】
更に、変調度検出器８から入力された希望波の変調度が大きい場合、すなわち大きな音声レベルの場合は、ＩＦフィルタ１の帯域幅を大きくするように制御する。
【００６２】
このように、受信したＦＭ信号を各々の検出器で得た情報からコントローラ５を制御して、最適なＩＦフィルタ１の帯域幅を決定することができる。
【００６３】
なお、第１の実施形態と同様に隣接妨害検出器４は電界検出器６とコントローラ５間に挿入してもよい。
【００６４】
なお、前述した本発明のＦＭチューナは回路発振を防ぐためＩＦフィルタ１制御には所定の時定数を持たせている。例えば、コントローラ５に積分器を設ければよい。
【００６５】
【発明の効果】
以上詳述したように本発明は、希望波を受信中はＩＦフィルタの帯域幅を過度に狭くすることがなく、隣接妨害時における中間周波数フィルタの安定な帯域の可変を可能にするＦＭチューナを提供することができる。
【図面の簡単な説明】
【図１】本発明の第１の実施形態に係るＦＭチューナ回路の構成図である。
【図２】図１の隣接妨害検出器の一例を表わす構成図である。
【図３】本発明の第１の実施形態に係るＦＭチューナ回路の変形例を表わす構成図である。
【図４】本発明の第２の実施形態に係るＦＭチューナ回路の構成図である。
【図５】本発明の第３の実施形態に係るＦＭチューナ回路の構成図である。
【図６】本発明の第４の実施形態に係るＦＭチューナ回路の構成図である。
【図７】従来技術のＦＭチューナ回路の構成図である。
【図８】従来技術のＦＭチューナ回路の構成図である。
【符号の説明】
１・・・ＩＦフィルタ
２・・・ＩＦリミッタアンプ
３・・・ＦＭ検波器
４・・・隣接妨害検出器
４１・・・第１のバンドパスフィルタ
４２・・・第２のバンドパスフィルタ
４３・・・合成回路
４４・・・検出回路
５・・・コントローラ
６・・・電界検出器
７・・・弱電界検出器
８・・・変調度検出器
９・・・ミュート回路
【図１】
2004312077.tif 000003
【図２】
2004312077.tif 000004
【図３】
2004312077.tif 000005
【図４】
2004312077.tif 000006
【図５】
2004312077.tif 000007
【図６】
2004312077.tif 000008
【図７】
2004312077.tif 000009
【図８】
2004312077.tif 000010